(57)【要約】【課題】緊急時に緊急事態に対応しながら、周囲の人に緊急事態であることを知らせることができる、緊急用具収納ケースの提供を課題とする。【解決手段】緊急用具３０を収納するケース本体１０と、該ケース本体１０内の緊急用具３０を取り出すための開閉する蓋１２と、前記蓋１２の開きを感知すると警報音を出力するアラーム装置２０とを備えてなる。前記緊急用具３０は、片手で持ち、指で押して噴霧するスプレー式消火器３０であり、該スプレー式消火器３０を前記ケース本体１０に収納して、手により持ち運び可能に構成されてなる。前記蓋１２の裏側に前記緊急用具３０を取付けてなる。【選択図】　　　　図１
0003097376.tif 000002
【実用新案登録請求の範囲】
【請求項１】
緊急用具を収納するケース本体と、該ケース本体内の緊急用具を取り出すための開閉する蓋と、前記蓋の開きを感知すると警報音を出力するアラーム装置とを備えてなることを特徴とする緊急用具収納ケース。
【請求項２】
前記緊急用具は、消火器であることを特徴とする請求項１に記載の緊急用具収納ケース。
【請求項３】
前記緊急用具は、片手で持ち、指で押して噴霧するスプレー式消火器であり、該スプレー式消火器を前記ケース本体内に収納して、手により持ち運び可能に構成されてなることを特徴とする請求項１から請求項２までのいずれか１つに記載の緊急用具収納ケース。
【請求項４】
前記蓋の裏側に前記緊急用具を取付けたことを特徴とする請求項１から請求項３までのいずれか１つに記載の緊急用具収納ケース。
【請求項５】
前記アラーム装置は、ピンと、該ピンが装着されることによって警報音を出力せず、ピンが抜脱されることによって警報音を出力するアラーム装置本体と、前記ピンから延出し、前記アラーム装置本体からピンを引き抜くための紐とを具備し、
前記ケース本体と、前記蓋とのどちらか一方に、前記アラーム装置本体を付設し、他方に前記紐を付設することを特徴とする請求項１から請求項４までのいずれか１つに記載の緊急具収納ケース。
【請求項６】
前記アラーム装置は、前記蓋の開きを感知すると、さらに通報対象に通報信号を出力することを特徴とする請求項１から請求項５までのいずれか１つに記載の緊急用具収納ケース。
【考案の詳細な説明】
【０００１】
【考案の属する技術分野】
本考案は、防火や防犯等のための緊急用具を収納するケースに関するものである。
【０００２】
【従来の技術】
電車等の公共交通機関やその駅、街中の一角等では、万一の火災に備えて、防火用具としての消火器や消火ホース等が設置されており、家庭内にも小型の消火器等の防火用具が設置されている。また、犯罪の増加に伴って、催涙スプレーやカラーボール等の防犯用具も発達し、一般に普及している。
【０００３】
以上の従来技術は、一般的な事項であり、本出願人は、これを特定する文献を特に知見していない。
【０００４】
【考案が解決しようとする課題】
火災が発生した場合、火災の発見者は、被害の拡大を防ぐために、防火用具を使用して初期消火につとめなければならず、それと同時に火災の発生を周囲の人に知らせて消火の手助けを乞う必要がある。また、場合によっては周囲の人に避難するよう知らせなければならない。しかし、従来は、防火用具を使用した消火活動を優先すれば、周囲の人に火災発生を知らせることができず、逆に、周囲の人に火災発生を知らせることを優先すれば、消火活動が遅れてしまった。さらに、火災を発見して気が動転した者に、確実に、両方同時に行なうよう求めるのは非常に困難であり、こうした状況に遭遇した一般的な発見者ができることといえば、消火活動をするか、あるいは、周囲の人や消防等に火災発生を知らせるかのどちらか一方のみであり、混乱した状況下で、難しい判断を迫られることとなっていた。
【０００５】
一方、物品の引ったくりや痴漢行為、暴漢行為に遭遇した場合には、被害者は、被害及び被害の拡大を防ぐために防犯用具を使用して抵抗し、同時に周囲の人に知らせようともする。しかし、被害者が激しく抵抗し、大声で叫ぼうとすれば、加害者もあせり、被害者を静まらせるために、あるいは、物品の引ったくりが目的だったとしても、速やかに犯行を終わらせるために被害者本人の身体にまで害を及ぼすこともある。
【０００６】
このようなことから、こうした犯罪行為に遭遇した場合には、周囲の人に犯罪行為の発生を知らせつつ、同時に自分の身を守るために防犯用具を使用して逃げればよいのであるが、気が動転している場合に両方同時に行なうことは非常に困難であり、一般的な者ができることといえば、加害者に対して防犯用具を使用しようと試みるか、あるいは、周囲の人に犯罪の発生知らせるかのどちらか一方のみであり、混乱した状況下で難しい判断を迫られることとなっていた。
【０００７】
本考案は、上記実情を鑑みてなされたものであり、緊急時に緊急事態に対応しながら、周囲の人に緊急事態であることを知らせることができる、緊急用具収納ケースの提供を課題とする。
【０００８】
【課題を解決するための手段】
本考案に係る緊急用具収納ケースは、「緊急用具を収納するケース本体と、該ケース本体内の緊急用具を取り出すための開閉する蓋と、前記蓋の開きを感知すると警報音を出力するアラーム装置とを備えてなること」を上述の課題を解決するための主要な手段とする。
【０００９】
ここで、緊急用具とは、防火、防犯等の緊急時に使用される用具であり、防火用具としては消火器や消火ホース等、防犯用具としては催涙スプレー、カラーボール等を例示することができる。
【００１０】
蓋には、蝶番を利用した観音開き、スライドさせて開閉する引き戸等を採用することができるが、これに限らず、ケース本体から脱着できる構造の蓋としてもよい。
【００１１】
また、緊急用具は、蓋が閉じた状態でケース本体内に入っていれば良い。ケース本体内とは、ケース本体と蓋とによって構成される空間のことである。このため、緊急用具をケース本体に設置、取付ける等しても良く、また蓋の裏側に保持具等によって取付ける等してもよい。
【００１２】
アラーム装置としては、ピンが抜けると警報音を出力するもの、マグネットの接点同士を近接させておき、接点同士が遠のくと警報音を出力するマグネットスイッチ式のもの等が挙げられるが、これに限らず、蓋が開けられるとアラーム装置が作動して警報音が出力すればよく、例えば、赤外線ビームを用いたもの等としてもよい。
【００１３】
なお、本考案に係る緊急用具収納ケースに採用されるアラーム装置の警報音は、建物内から建物外の人に緊急事態を知らせることも想定することから、小音量では不適当である。しかし、逆に、限度無く大きくすればよいというものでもない。蓋を開けると警報音を出力することから、蓋の前には蓋を開けた人が居ることになる。さらに、複数人が居るならば、警報音の出力中に会話をすることも考えられることから、耳を覆いたくなるような大音量で出力することも好ましくない。そこで、警報音の音量の一例として、７０ｄＢ以上、好ましくは９０ｄＢ以上、更に好ましくは１１０ｄＢ以上とし、１４０ｄＢ以下、好ましくは１３５ｄＢ以下、更に好ましくは１３０ｄＢ以下とする。
【００１４】
こうした音量で警報音を出力するものであれば、既に市販されている汎用アラーム装置を採用してもよく、それによれば、容易な構造で本考案に係る緊急用具収納ケースのアラーム装置に関する部分を実現できる。また、前述の理由から、最初は小さい音量で、徐々に大きな音量で出力する、蓋を開けてから一定時間経過後に出力する、数秒出力して数秒停止を繰り返すことにより、出力されないときに会話ができるようにするもの等としてもよい。なお、警報音には音声も含み、音声の出力にて警報を発してもよい。これに加えて、アラーム装置の警報音の音量をより大きくケース外へ出力するために、ケース本体に音出穴等を開ける等してもよい。
【００１５】
このようにすることによって、緊急時に緊急用具をケース本体内から取り出そうと蓋を開けると、アラーム装置が作動して警報音を出力し、周囲の人に緊急事態であることを知らせると共に、緊急用具を取り出すことができ、緊急事態への対応と、周囲の人に緊急事態を知らせることの両方を同時に行なうことができる。これにより、緊急時に緊急事態に対応しながら、周囲の人に緊急事態であることを知らせることができる、緊急用具収納ケースを実現できる。
【００１６】
また、副次的な効果として、悪意でケース本体内に収納されている緊急用具を持ち去ろうとする者に対しては、蓋を開けると警報音を出力することから、悪意の持ち去りを防止することができる。
【００１７】
本考案に係る緊急用具収納ケースを、「前記緊急用具は、消火器であることを特徴とする」ものとしてもよい。
【００１８】
ケース本体内に収納される緊急用具が防火用具としての消火器であることから、電車や家庭等で火災が発生した場合には、蓋を開けることにより、アラーム装置が作動し警報音を出力することによって、周囲に火災発生を知らせつつ、同時にケース本体内から消火器を取り出して消火活動をすることができる。このように、ケース本体内に消火器を収納すれば、周囲の人に火災発生を知らせつつ、同時に消火活動をすることができるため、特に効果的である。
【００１９】
なお、本考案は緊急用具の収納ケースであり、防火用具のみならず防犯用具の収納も想定していることから、防火用具としての消火器の代わりに、防犯用具としての催涙スプレー等入れることもでき、これによって、催涙スプレーを取り出しながらアラーム装置を作動させて警報音を出力し、緊急事態であることを周囲に知らせることができる等、防犯にも積極的に活用できる。このことから、利便性の高い緊急用具収納ケースを実現できる。
【００２０】
本考案に係る緊急用具収納ケースを、「前記緊急用具は、片手で持ち、指で押して噴霧するスプレー式消火器であり、該スプレー式消火器を前記ケース本体内に収納して、手により持ち運び可能に構成されてなることを特徴とする」ものとしてもよい。
【００２１】
主として家庭用等として用いられることの多い、ハンディタイプのスプレー式消火器をケース本体内に収納し、ケース本体や蓋に取っ手等を備えて、持ち運び可能に構成してもよいことから、携帯にも優れる。このことから、利便性の高い緊急用具収納ケースを実現できる。
【００２２】
なお、消火器の代わりに、催涙スプレー等を入れるにも好適である。これによって、催涙スプレーをケース本体内から取り出しながらアラーム装置を作動させて警報音を出力し、緊急事態であることを周囲に知らせることができる等、防犯にも積極的に活用できる。
【００２３】
本考案に係る緊急用具収納ケースを、「前記蓋の裏側に前記緊急用具を取付けたことを特徴とする」ものとしてもよい。
【００２４】
このように、蓋の裏側に緊急用具が取付けられてケース本体内に収納されていれば、緊急用具は、蓋を開ければ、蓋と共に出てくるために、ケース本体から取り出す必要は無く、すぐに取り外して使用できる。このように、迅速な使用ができて好適である。
【００２５】
本考案に係る緊急用具収納ケースを、「前記アラーム装置は、ピンと、該ピンが装着されることによって警報音を出力せず、ピンが抜脱されることによって警報音を出力するアラーム装置本体と、前記ピンから延出し、前記アラーム装置本体からピンを引き抜くための紐とを具備し、前記ケース本体と、前記蓋とのどちらか一方に、前記アラーム装置本体を付設し、他方に前記紐を付設することを特徴とする」ものとしてもよい。
【００２６】
これにより、蓋を開けると、紐が引っ張られてアラーム装置本体からピンが引き抜かれ、アラーム装置が作動して警告音を出力する。引き抜かれたピンは紐によってぶら下がることから、開けた蓋が閉じた場合でも、ピンがアラーム装置本体に再び装着されず、人為的にアラーム装置本体にピンを再装着しない限り、アラーム装置本体は警報音を出力し続ける。これにより、緊急時に緊急事態に対応しながら、周囲の人に緊急事態であることを確実に知らせることができる、緊急用具収納ケースを実現できる。
【００２７】
なお、ピンと接続する紐の長さは、ケース本体内から緊急用具を取り出す際に必要な、最低限の蓋の開度としたときには、既にアラーム装置本体からピンが抜けているような長さとするのが好適である。このようにすれば、緊急用具をケース本体内から取り出すためには、蓋を、ピンが抜ける開度以上に開かなければならなくなることから、より確実にアラーム装置が作動し、アラーム装置本体は警報音を出力する。また、紐の長さを、蓋を小さく開けた時にはピンが抜けない長さとしてもよく、このようにしたときは、ピンが抜けない程度に小さく蓋を開ければ、アラーム装置が作動しないことから、これを利用し、警報音を出力させずに蓋を開けて点検する等してもよく、利便性の高い緊急用具収納ケースを実現できる。
【００２８】
本考案に係る緊急用具収納ケースを、「前記アラーム装置は、前記蓋の開きを感知すると、さらに通報対象に通報信号を出力することを特徴とする」ものとしてもよい。
【００２９】
ここで、通報対象とは、電車等の交通機関であれば、運転手、車掌、あるいはその運行管理を司るコントロールセンター等であり、その他、一般的には、警察署、消防署、警備会社等であるが、これらの通報対象は、本考案に係る緊急用具収納ケースの設置場所やその設置者、管理者、収納される緊急用具の種類等によって変更させてもよい。また、同時に複数の通報対象に通報してもよく、双方向で通話ができるようにしてもよい。
【００３０】
本考案に係る緊急用具収納ケースによれば、緊急時に蓋を開けて緊急用具を取り出そうとすると、アラーム装置が作動してアラーム装置本体が警報音を出力し、周囲に緊急事態であることを知らせつつ、さらに通報対象に通報信号を出力するため、周囲の人や通報対象の確実な協力を得ることができる。逆に、通報対象側は、こうした通報をもとに、専門的な第３者の視点による冷静な判断から、場合によって、広範に渡る避難勧告や避難誘導をすることができ、緊急事態を終息に向わせる手段を講じることができる。このことから、より確実な協力を仰ぐことができる、利便性の高い緊急用具収納ケースとすることができる。
【００３１】
【考案の実施の形態】
本考案に係る実施の形態を、以下に、図面に基づいて説明する。
【００３２】
図１に示すのは、本考案の一例であり、本例の緊急用具収納ケース１は家庭内に置かれている。緊急用具収納ケース１は、ケース本体１０と蓋１２とによって構成され、蓋１２は蝶番（図示しない）によってケース本体１０に取りつけられている。ケース本体１０はその内部に緊急用具３０を収納する。ここで、緊急用具３０とは、消火器や消火ホース等、また催涙スプレーやカラーボール等であるが、本例では、緊急用具３０として、家庭用に普及しているスプレー式消火器３０を採用した。スプレー式消火器３０は、蓋１２に、保持具３１によって取付けられている。
【００３３】
上記スプレー式消火器３０は、円筒形のスプレー缶と、缶の上部を覆う、スプレー缶と略同寸の直径を持つ円筒形のカバーとで構成されており、使用時はカバーを外し、片手で持ち、スプレー缶の上部に備えられたスプレー式ノズルを指で押すことによって、スプレー缶内の内容物である消火剤を噴霧するものである。
【００３４】
なお、ケース本体１０と蓋１２の素材はステンレス製素材である。また、蓋１２に取っ手１３を備えたことにより、容易な持ち運びを可能にしている。
【００３５】
本例のアラーム装置２０は、ピン２１と、ピン２１がピン穴２２に装着されることによって警報音を出力せず、ピン２１がピン穴２２から抜脱されることによって１２０ｄＢの音量の警報音を出力するアラーム装置本体２３と、ピン２１から延出し、アラーム装置本体２３のピン穴２２からピン２１を引き抜くための紐２４とを備えている。
【００３６】
アラーム装置本体２３はケース本体１０に付設される。アラーム装置本体２３がケース本体１０と接触する部分に音出穴１１を開けたことにより、アラーム装置本体２３の出力する警報音を、ケース本体１０の外により大きく出力させる。一方、紐２４は蓋１２に付設されている。紐２４の長さは、スプレー式消火器３０を取り出すために最低限必要な蓋の開度としたときには、既にアラーム装置本体２３のピン穴２２からピン２１が抜けている長さである。
【００３７】
家庭内で火災が発生した場合、火災の発見者は本例の緊急用具収納ケース１からスプレー式消火器３０を取り出そうと、蓋１２を開ける。蓋１２を開けたことによって、アラーム装置本体２３のピン穴２２からピン２１が引き抜かれ、アラーム装置本体２３が作動して、１２０ｄＢの音量で警報音を出力する。また、蓋１２を開けたことによって、蓋１２の裏側に保持具３１によって取付けられているスプレー式消火器３０が露呈する。これによって、火災の発見者は、保持具３１からスプレー式消火器３０を取り外し、このスプレー式消火器３０を使用して消火活動をしつつ、家の周囲の人に緊急事態であることを知らせ、消火の手助けを乞うことができる。
【００３８】
なお、ピン２１はピン穴２２から引き抜かれた際に、延出する紐２４によってぶら下がることから、開けた蓋１２が閉じた場合でも、ピン２１がアラーム装置本体２３のピン穴２２に再び装着されることはなく、人為的にアラーム装置本体２３のピン穴２２にピン２１を再装着しない限り、アラーム装置本体２３は警報音を出力し続ける。
【００３９】
図１に示す、緊急用具収納ケース１は、蓋１２を大きく開けたことによって、蓋１２に付設された紐２４が引っ張られ、アラーム装置本体２３のピン穴２２からピン２１が抜けており、これによってアラーム装置２０が作動し、１２０ｄＢの音量で警報音を出力している態様である。
【００４０】
図２に示すのは、本考案の別例である。本例は図１に示す前述の例とほぼ同様であるが、本例の緊急用具収納ケース１は、ケース本体１０と蓋１２とによって構成され、蓋１２は蝶番（図示しない）によってケース本体１０に取りつけられている。スプレー式消火器３０が保持具３１によってケース本体１０に取付けられている点と、ケース本体１０と蓋１２の素材を半透明の樹脂製素材とし、蓋１２を開けなくてもケース本体１０内に収納されている緊急用具３０を視認することができる点が異なる。
【００４１】
家庭内で火災が発生した場合、火災の発見者は本例の緊急用具収納ケース１からスプレー式消火器３０を取り出そうと、蓋１２を開ける。蓋１２を開けたことによって、アラーム装置本体２３のピン穴２２からピン２１が引き抜かれ、アラーム装置本体２３が作動して、１２０ｄＢの音量で警報音を出力する。これによって、火災の発見者は、ケース本体１０内の保持具３１からスプレー式消火器３０を取り外し、このスプレー式消火器３０を使用して消火活動をしつつ、家の周囲の人に緊急事態であることを知らせ、消火の手助けを乞うことができる。
【００４２】
図２に示す、緊急用具収納ケース１は、蓋１２を大きく開けたことによって、蓋１２に付設された紐２４が引っ張られ、アラーム装置本体２３のピン穴２２からピン２１が抜けており、これによってアラーム装置２０が作動し、１２０ｄＢの音量で警報音を出力している態様である。
【００４３】
図３に示すのは、本考案に係る緊急用具収納ケース１の別例であり、電車の駅のホームに設置されている。本例の緊急用具収納ケース１は、ケース本体１０と、蓋１２とで構成され、蓋１２は蝶番（図示しない）によってケース本体１０に取り付けられている。ケース本体１０はその内部に緊急用具３０を収納する。ここで、緊急用具３０は前述の通りであり、本例では緊急用具３０に消火器３０を採用し、ケース本体１０に収納されている。また、蓋１２に備えられた窓１４によって、蓋１２が閉じていてもケース本体１０内に収納されている消火器３０を視認できる。
【００４４】
本例におけるアラーム装置２０は、ピン２１と、ピン２１がピン穴２２に装着されることによって警報音を出力せず、ピン２１がピン穴２２から抜脱されることによって警報音を出力するアラーム装置本体２３と、ピン２１から延出し、アラーム装置本体２３のピン穴２２からピン２１を引き抜くための紐２４とを備えていることは前述のアラーム装置２０と同様であるが、本例では、さらに、通報対象に通報信号４０を出力する。つまり、電車の運行管理を司るコントロールセンター、及び、同駅を通過し、あるいは同駅に停車する電車の運転席計器盤に通報信号４０を出力し、コントロールセンター職員や電車運転手、車掌に対して緊急事態であることを知らせるものである。なお、騒音の大きい駅のホームで使用されることを考慮して、１３０ｄＢの音量の警報音としている。
【００４５】
駅のホームで火災を発見者した発見者は、本例の緊急用具収納ケース１から消火器３０を取り出そうと、蓋１２を開ける。蓋１２を開けたことによって、アラーム装置本体２３のピン穴２２からピン２１が引き抜かれ、アラーム装置本体２３が作動して、１３０ｄＢの音量で警報音を出力する。これと同時に、通報対象である電車の運行管理を司るコントロールセンター、及び、同駅を通過し、あるいは同駅に停車する電車の運転席計器盤に通報信号を出力４０し、コントロールセンター職員や電車運転手、車掌に対して緊急事態であることを知らせるものである。これによって、火災の発見者は消火器３０を使用して消火活動をしつつ、周囲の人や通報対象に緊急事態であることを知らせ、周囲の人や通報対象による消火の手助けや、避難の指示を乞うことができる。
【００４６】
なお、ピン２１はピン穴２２から引き抜かれた際に延出する紐２４によってぶら下がることから、開けた蓋１２が閉じた場合でも、ピン２１がアラーム装置本体２３のピン穴２２に再び装着されることはなく、人為的にアラーム装置本体２３のピン穴２２にピン２１を再装着しない限り、アラーム装置本体２３は警報音を出力し続ける。
【００４７】
図３に示す、緊急用具収納ケース１は、蓋１２を大きく開けたことによって、蓋１２に付設された紐２４が引っ張られ、アラーム装置本体２３のピン穴２２からピン２１が引き抜かれており、アラーム装置本体２３が作動し、１３０ｄＢの音量で警報音を出力している態様である。また、同時に、通報対象に通報信号４０を出力している。
【００４８】
【考案の効果】
以上、詳細に説明したように、本考案に係る緊急用具収納ケースは、緊急時に緊急事態に対応しながら、周囲の人に緊急事態であることを知らせることができる、緊急用具収納ケースの提供を実現できる。
【図面の簡単な説明】
【図１】本考案に係る緊急用具収納ケースの一例を示す斜視図である。
【図２】本考案に係る緊急用具収納ケースの別例を示す斜視図である。
【図３】本考案に係る緊急用具収納ケースのさらに別の例を示す斜視図である。
【符号の説明】
１　　緊急用具収納ケース
１０　ケース本体
１１　音出穴
１２　蓋
１３　取っ手
１４　窓
２０　アラーム装置
２１　ピン
２２　ピン穴
２３　アラーム装置本体
２４　紐
３０　緊急用具（スプレー式消火器、消火器）
３１　保持具
４０　通報信号
【図１】
0003097376.tif 000003
【図２】
0003097376.tif 000004
【図３】
0003097376.tif 000005